(57)【特許請求の範囲】
【請求項１】
エンジンによって作動する走行部を備えた走行機体と、圃場に植立した穀稈の株元を切断する刈刃装置と、前記刈刃装置によって株元が切断された前記穀稈を搬送する穀稈搬送手段と、前記走行機体の移動速度を検出する車速センサとを備えてなるコンバインにおいて、
前記車速センサが検出する前記走行機体の移動速度と同調した車速同調速度で前記穀稈搬送手段を作動する搬送駆動用電動モータと、前記搬送駆動用電動モータを手動操作によって作動させる手動操作部材とを備え、前記走行部又は前記刈刃装置が停止した状態で、前記手動操作部材の操作によって前記搬送駆動用電動モータを作動可能に構成し、
前記走行機体の外側面に前記手動操作部材を配置し、前記穀稈搬送手段の穀稈搬送状況を目視しながら、前記走行機体の外側方から前記手動操作部材を操作可能に構成したことを特徴とするコンバイン。
【請求項２】
前記手動操作部材を手動操作している間だけ、刈取作業中の穀稈搬送速度の最低速度よりも遅い速度で、前記搬送駆動用電動モータによって前記穀稈搬送手段を作動させるように構成したことを特徴とする請求項１に記載のコンバイン。
【発明の詳細な説明】
【技術分野】
【０００１】
本発明は、圃場に植立した穀稈を刈取って穀粒を収集するコンバイン、又は飼料用穀稈を刈取って飼料として収集する飼料コンバイン等のコンバインに係り、より詳しくは、刈刃装置によって株元が切断される穀稈又は飼料用穀稈を搬送するための穀稈搬送手段を電動モータにて作動するようにしたコンバインに関するものである。
【背景技術】
【０００２】
従来、コンバインは、圃場に植立した未刈り穀稈の株元を刈刃装置によって切断し、穀稈搬送手段としての穀稈搬送装置によって脱穀装置にその穀稈を搬送し、脱穀装置によってその穀稈を脱穀して、穀粒を収集するように構成している。特許文献１に示されるように、エンジンからの駆動力によって刈取装置が作動するように構成されている。また、電動モータによって刈刃装置を駆動する構成（例えば、特許文献２参照）や、電動モータによって穀稈搬送装置（スクレーパ）を駆動する構成（例えば、特許文献３参照）も公知である。
【特許文献１】特開２００４−９７０３８号公報
【特許文献２】特開昭６３−２５８５１０号公報
【特許文献３】特開平７−１７７８１３号公報
【発明の開示】
【発明が解決しようとする課題】
【０００３】
前記従来技術は、特許文献１に示されるように、エンジンによって穀稈搬送装置を作動させた場合、走行機体の移動速度（車速）に同調した速度で刈刃装置及び穀稈搬送装置を作動できるが、穀稈搬送装置における穀稈搬送途中に前記穀稈が詰った場合、穀稈搬送装置を分解して詰り穀稈を除去する必要があり、長時間に渡って収穫作業が中断される等の問題がある。特に、圃場内では、足場が泥土のため、詰り穀稈の除去作業が困難であった。
【０００４】
なお、特許文献３に示されるように、電動モータによって穀稈搬送装置（スクレーパ）を駆動する場合、車速に同期した車速同調速度で穀稈搬送装置が作動しないから、穀稈搬送装置によって搬送する途中で穀稈の搬送姿勢が乱れたり、穀稈が詰る等の問題がある。その場合も、穀稈搬送装置に詰った穀稈を簡単に除去できないから、長時間に渡って収穫作業を中断する必要がある。
【０００５】
本発明の目的は、収穫作業中、穀稈搬送装置によって搬送している穀稈が詰っても、穀稈搬送装置の分解作業等の面倒な作業を省略して、収穫作業途中の圃場内で、穀稈搬送装置に詰った穀稈を簡単に除去できるようにしたコンバインを提供するものである。
【課題を解決するための手段】
【０００６】
前記目的を達成するため、請求項１に係る発明のコンバインは、エンジンによって作動する走行部を備えた走行機体と、圃場に植立した穀稈の株元を切断する刈刃装置と、前記刈刃装置によって株元が切断された前記穀稈を搬送する穀稈搬送手段と、前記走行機体の移動速度を検出する車速センサとを備えてなるコンバインにおいて、前記車速センサが検出する前記走行機体の移動速度と同調した車速同調速度で前記穀稈搬送手段を作動する搬送駆動用電動モータと、前記搬送駆動用電動モータを手動操作によって作動させる手動操作部材とを備え、前記走行部又は前記刈刃装置が停止した状態で、前記手動操作部材の操作によって前記搬送駆動用電動モータを作動可能に構成し、前記走行機体の外側面に前記手動操作部材を配置し、前記穀稈搬送手段の穀稈搬送状況を目視しながら、前記走行機体の外側方から前記手動操作部材を操作可能に構成したものである。
【０００７】
【０００８】
請求項２に記載の発明は、請求項１に記載のコンバインにおいて、前記手動操作部材を手動操作している間だけ、刈取作業中の穀稈搬送速度の最低速度よりも遅い速度で、前記搬送駆動用電動モータによって前記穀稈搬送手段を作動させるように構成したものである。
【発明の効果】
【０００９】
請求項１に係る発明によれば、エンジンによって作動する走行部を備えた走行機体と、圃場に植立した穀稈の株元を切断する刈刃装置と、前記刈刃装置によって株元が切断された前記穀稈を搬送する穀稈搬送手段と、前記走行機体の移動速度を検出する車速センサとを備えてなるコンバインにおいて、前記車速センサが検出する前記走行機体の移動速度と同調した車速同調速度で前記穀稈搬送手段を作動する搬送駆動用電動モータと、前記搬送駆動用電動モータを手動操作によって作動させる手動操作部材とを備え、前記走行部又は前記刈刃装置が停止した状態で、前記手動操作部材の操作によって前記搬送駆動用電動モータを作動可能に構成したものであるから、収穫作業中、前記穀稈搬送手段によって搬送している穀稈が詰っても、収穫作業途中の圃場内で、前記穀稈搬送手段に詰った穀稈を簡単に除去できる。前記穀稈搬送手段の分解作業等の面倒な作業を省略できる。前記穀稈搬送手段に穀稈が詰っても、詰り穀稈を簡単に解除して、収穫作業をスムーズに再開でき、穀稈の刈取作業性を向上できるものである。
【００１０】
その上、前記走行機体の外側面に前記手動操作部材を配置し、前記穀稈搬送手段の穀稈搬送状況を目視しながら、前記走行機体の外側方から前記手動操作部材を操作可能に構成したものであるから、穀稈の詰り状況又は詰り穀稈の搬送状況等を確認しながら、前記手動操作部材を操作して前記穀稈搬送手段を作動できる。詰り穀稈を除去するのに必要な時間だけ、前記穀稈搬送手段を作動させて、詰り穀稈を簡単に解除できる。前記穀稈搬送手段の損傷等を防止できるものである。
【００１１】
請求項２に係る発明によれば、前記手動操作部材を手動操作している間だけ、刈取作業中の穀稈搬送速度の最低速度よりも遅い速度で、前記搬送駆動用電動モータによって前記穀稈搬送手段を作動させるように構成したものであるから、穀稈の詰り状況又は詰り穀稈の搬送状況等に応じて前記穀稈搬送手段を適正量だけ簡単に作動できる。詰り穀稈を除去するのに必要な搬送移動量だけ、前記穀稈搬送手段を作動させて、詰り穀稈を簡単に解除できる。前記穀稈搬送手段の損傷等を防止できるものである。
【発明を実施するための最良の形態】
【００１２】
以下に、本発明を具体化した実施形態を図面に基づいて説明する。図１はコンバインの左側面図、図２はコンバインの平面図、図３は刈刃装置及び穀稈搬送装置の側面説明図、図４は刈刃装置及び穀稈搬送装置の平面説明図、図５はコンバインの駆動系統図、図６はミッションケース及びカウンタケース等の駆動系統図、図７は穀稈搬送手段（縦搬送チェン）の制御回路の機能ブロック図である。図１及び図２を参照しながら、コンバインの全体構造について説明する。なお、以下の説明では、走行機体１の進行方向に向かって左側を単に左側と称し、同じく進行方向に向かって右側を単に右側と称する。
【００１３】
本実施形態のコンバインは、走行部としての左右一対の走行クローラ２にて支持された走行機体１を備えている。走行機体１の前部には、穀稈を刈り取りながら取り込む６条刈り用の刈取装置３が、単動式の昇降用油圧シリンダ４によって刈取回動支点軸４ａ回りに昇降調節可能に装着されている。走行機体１には、フィードチェン６を有する脱穀装置５と、該脱穀装置５から取出された穀粒を貯留する穀粒タンク７とが横並び状に搭載されている。本実施形態では、脱穀装置５が走行機体１の進行方向左側に、穀粒タンク７が走行機体１の進行方向右側に配置されている。走行機体１の後部に旋回可能な排出オーガ８が設けられ、穀粒タンク７の内部の穀粒が、排出オーガ８の籾投げ口９からトラックの荷台またはコンテナ等に排出されるように構成されている。刈取装置３の右側方で、穀粒タンク７の前側方には、運転キャビン１０が設けられている。
【００１４】
運転キャビン１０内には、操縦ハンドル１１と、運転座席１２と、主変速レバー４２と、副変速レバー４３と、脱穀クラッチ及び刈取クラッチを入り切りする作業クラッチレバー４４とを配置している。なお、図示しないが、運転キャビン１０には、オペレータが搭乗するステップと、操縦ハンドル１１を設けたハンドルコラムと、前記各レバー４２，４３，４４等を設けたレバーコラムとが配置されている。運転座席１２の下方の走行機体１には、動力源としてのエンジン１４が配置されている。
【００１５】
図１乃至図４に示されるように、走行機体１の下面側に左右のトラックフレーム２１を配置している。トラックフレーム２１には、走行クローラ２にエンジン１４の動力を伝える駆動スプロケット２２と、走行クローラ２のテンションを維持するテンションローラ２３と、走行クローラ２の接地側を接地状態に保持する複数のトラックローラ２４と、走行クローラ２の非接地側を保持する中間ローラ２５とを設けている。駆動スプロケット２２によって走行クローラ２の前側を支持し、テンションローラ２３によって走行クローラ２の後側を支持し、トラックローラ２４によって走行クローラ２の接地側を支持し、中間ローラ２５によって走行クローラ２の非接地側を支持することになる。
【００１６】
刈取装置３の刈取回動支点軸４ａに連結した刈取フレーム２２１の下方には、圃場に植立した未刈り穀稈（穀稈）の株元を切断するバリカン式の刈刃装置２２２が設けられている。刈取フレーム２２１の前方には、圃場に植立した未刈り穀稈を引起す６条分の穀稈引起装置２２３が配置されている。穀稈引起装置２２３とフィードチェン６の前端部（送り始端側）との間には、刈刃装置２２２によって刈取られた刈取り穀稈を搬送する穀稈搬送装置２２４が配置されている。なお、穀稈引起装置２２３の下部前方には、圃場に植立した未刈り穀稈を分草する６条分の分草体２２５が突設されている。エンジン１４にて走行クローラ２を駆動して圃場内を移動しながら、刈取装置３によって圃場に植立した未刈り穀稈を連続的に刈取ることになる。
【００１７】
次に、図３及び図４を参照して刈取装置３の構造を説明する。図３及び図４に示すように、刈取フレーム２２１は、走行機体１の前端側の軸受台１５に回動可能に支持した刈取入力ケース１６と、刈取入力ケース１６から前方に向けて延長する縦伝動ケース１８と、縦伝動ケース１８の前端側で左右方向に向けて延長する横伝動ケース１９と、横伝動ケース１９に連結する６条分の分草フレーム２０とによって形成されている。分草フレーム２０の前端側に支持する６条分の分草体２２５とが配置されている。機体左右方向に水平に横架した刈取入力ケース１６内には、エンジン１４からの動力が伝達される刈取り穀稈用の刈取り入力軸１７を組込んでいる。
【００１８】
穀稈引起装置２２３は、分草板２２５によって分草された未刈穀稈を起立させる複数の引起タイン２８を有する６条分の引起ケース２９を有する。穀稈搬送装置２２４は、右側２条分の引起ケース２９から導入される右側２条分の穀稈の株元側を掻込む左右の右スターホイル３０Ｒ及び左右の右掻込ベルト３１Ｒと、左側２つの引起ケース２９から導入される左側２条分の穀稈の株元側を掻込む左右の左スターホイル３０Ｌ及び左右の左掻込ベルト３１Ｌと、中央２つの引起ケース２９から導入される中央２条分の穀稈の株元側を掻込む左右の中央スターホイル３０Ｃ及び左右の中央掻込ベルト３１Ｃとを有する。
【００１９】
刈刃装置２２２は、右スターホイル３０Ｒ及び左右の右掻込ベルト３１Ｒ、左スターホイル３０Ｌ及び左右の左掻込ベルト３１Ｌ、中央スターホイル３０Ｃ及び左右の中央掻込ベルト３１Ｃによって掻込まれた６条分の穀稈の株元を切断するバリカン形の左右の刈刃３２を有する。
【００２０】
また、穀稈搬送装置２２４は、右側２条分のスターホイル３０Ｒ及び掻込ベルト３１Ｒによって掻込まれた右側２条分の刈取穀稈の株元側を後方に搬送する右株元搬送チェン３３Ｒと、左側２条分のスターホイル３０Ｌ及び掻込ベルト３１Ｌによって掻込まれた左側２条分の刈取穀稈の株元側を右株元搬送チェン３３Ｒの搬送終端部に合流させる左株元搬送チェン３３Ｌと、中央２条分のスターホイル３０Ｃ及び掻込ベルト３１Ｃによって掻込まれた中央２条分の刈取穀稈の株元側を後方に搬送して右株元搬送チェン３３Ｒの搬送途中に合流させる中央株元搬送チェン３３Ｃとを有する。左右及び中央の株元搬送チェン３３Ｒ，３３Ｌ，３３Ｃによって、右株元搬送チェン３３Ｒの搬送終端部に、６条分の刈取穀稈の株元側を合流させることになる。
【００２１】
穀稈搬送装置２２４は、右株元搬送チェン３３Ｒから６条分の刈取穀稈の株元側を受継ぐ穀稈搬送手段としての縦搬送チェン３４と、縦搬送チェン３４の搬送終端部からフィードチェン６の搬送始端部に６条分の刈取穀稈の株元側を搬送する補助搬送手段としての補助株元搬送チェン３５，３６とを有する。縦搬送チェン３４から、補助株元搬送チェン３５，３６を介して、フィードチェン６の搬送始端部に、６条分の刈取穀稈の株元側を搬送することになる。
【００２２】
穀稈搬送装置２２４は、右株元搬送チェン３３Ｒにて搬送される右側２条分の刈取穀稈の穂先側を搬送する右穂先搬送タイン３７Ｒと、左株元搬送チェン３３Ｌにて搬送される左側２条分の刈取穀稈の穂先側を搬送する左穂先搬送タイン３７Ｌと、中央株元搬送チェン３３Ｃにて搬送される中央２条分の刈取穀稈の穂先側を搬送する中央穂先搬送タイン３７Ｃと、縦搬送チェン３４にて搬送される６条分の刈取穀稈の穂先側を搬送する後穂先搬送タイン３８とを有する。脱穀装置５の扱胴２２６室内に、刈取装置３で刈取った６条分の刈取穀稈の穂先側を搬送することになる。
【００２３】
次に、図５を参照して引起し駆動構造を説明する。図５に示すように、刈取り入力軸１７に、後述する縦伝動軸４０及び横伝動軸４１及び左搬送駆動軸６９を介して、引起横伝動軸４８を連結する。引起横伝動軸４８は、６条分の各引起ケース２９の引起タイン駆動軸４５にそれぞれ連結している。分草体２２５の後方で分草フレーム２０の上方に引起ケース２９が立設され、引起ケース２９の上端側の背面から引起タイン駆動軸４５を突出している。引起タイン駆動軸４５及び引起横伝動軸４８を介して、複数の引起タイン２８を設けた引起タインチェン２８ａが駆動されることになる。
【００２４】
図５に示すように、横伝動軸４１に左右のクランク軸５２ａ，５２ｂを介して左右の刈刃３２を連結する。横伝動軸４１を介して左右の刈刃３２を同期させて駆動するように構成している。なお、刈刃装置２２２は、６条分の刈幅の中央部で分割して左右の刈刃３２を形成し、左右の刈刃３２を相反する方向に往復移動させ、往復移動によって発生する左右の刈刃３２の振動（慣性力）を相殺可能に構成している。
【００２５】
図５に示すように、刈取り入力軸１７に縦伝動ケース１８内の縦伝動軸４０の一端側を連結する。縦伝動軸４０の他端側に横伝動ケース１９内の横伝動軸４１の一端側を連結する。縦伝動軸４０及び横伝動軸４１から穀稈搬送装置２２４の各駆動部に刈取り入力軸１７の回転力を伝えることになる。即ち、縦伝動軸４０には、右搬送駆動軸６２を連結している。縦伝動軸４０及び右搬送駆動軸６２を介して、右株元搬送チェン３３Ｒ及び右穂先搬送タイン３７Ｒと、右スターホイル３０Ｒ及び右掻込ベルト３１Ｒとを駆動するように構成している。
【００２６】
一方、縦伝動軸４０に一方向回転クラッチ５５を介して後搬送駆動軸５４を連結する。補助株元搬送チェン３５，３６及び後穂先搬送タイン３８に一方向回転クラッチ５５を介して縦伝動軸４０の回転力を伝達する。縦伝動軸４０及び後搬送駆動軸５４を介して、補助株元搬送チェン３５，３６及び後穂先搬送タイン３８を駆動するように構成している。
【００２７】
また、補助株元搬送チェン３５，３６及び後穂先搬送タイン３８を刈取り穀稈送り方向にのみ駆動する穂先搬送駆動用電動モータ９３を設ける。穂先搬送駆動用電動モータ９３によって、後搬送駆動軸５４を介して、補助株元搬送チェン３５，３６及び後穂先搬送タイン３８を刈取り穀稈送り方向に駆動するように構成している。なお、穂先搬送駆動用電動モータ９３によって後搬送駆動軸５４を刈取り穀稈送り方向に回転させた場合、その穂先搬送駆動用電動モータ９３の回転によって一方向回転クラッチ５５が空転して、後搬送駆動軸５４の回転が縦伝動軸４０に伝達されることがない。
【００２８】
図５に示すように、穀稈搬送手段としての縦搬送チェン３４を正逆回転切換可能に駆動する縦搬送駆動用電動モータ９２を備え、縦搬送駆動用電動モータ９２によって、縦搬送伝動軸６３を介して、刈取り穀稈送り方向又はその逆の方向に縦搬送チェン３４を駆動するように構成している。
【００２９】
また、横伝動軸４１の左端側に左搬送駆動軸６９を連結している。左搬送駆動軸６９を介して、左株元搬送チェン３３Ｌ及び左穂先搬送タイン３７Ｌと、左スターホイル３０Ｌ及び左掻込ベルト３１Ｌとを駆動するように構成している。また、横伝動軸４１に中央搬送駆動軸７５を連結し、中央搬送駆動軸７５を介して、中央株元搬送チェン３３Ｃ及び中央穂先搬送タイン３７Ｃと、中央スターホイル３０Ｃ及び中央掻込ベルト３１Ｃとを駆動するように構成している。なお、横伝動軸４１に左搬送駆動軸６９及び引起変速ギヤ等を介して引起横伝動軸４８を連結している。
【００３０】
次に、図１及び図２を参照して、脱穀装置５の構造を説明する。図１及び図２に示されるように、脱穀装置５には、穀稈脱穀用の扱胴２２６と、扱胴２２６の下方に落下する脱粒物を選別する揺動選別盤２２７及び唐箕ファン２２８と、扱胴２２６の後部から取出される脱穀排出物を再処理する処理胴２２９と、揺動選別盤２２７の後部の排塵を排出する排塵ファン２３０とが備えられている。なお、扱胴２２６の回転軸芯線は、フィードチェン６による穀稈の搬送方向（換言すると走行機体１の進行方向）に沿って延びている。刈取装置３から穀稈搬送装置２２４によって搬送された穀稈の株元側は、フィードチェン６に受け継がれて挟持搬送される。そして、この穀稈の穂先側が脱穀装置５の扱室内に搬入されて扱胴２２６にて脱穀されることになる。
【００３１】
揺動選別盤２２７の下方側には、揺動選別盤２２７にて選別された穀粒（一番物）を取出す一番コンベヤ２３１と、枝梗付き穀粒等の二番物を取出す二番コンベヤ２３２とが設けられている。本実施形態の両コンベヤ２３１，２３２は、走行機体１の進行方向前側から一番コンベヤ２３１、二番コンベヤ２３２の順で、側面視において走行クローラ２の後部上方の走行機体１の上面側に横設されている。
【００３２】
揺動選別盤２２７は、扱胴２２６の下方に張設された受網２３７から漏下した脱穀物が、フィードパン２３８及びチャフシーブ２３９によって搖動選別（比重選別）されるように構成している。揺動選別盤２２７から落下した穀粒は、その穀粒中の粉塵が唐箕ファン２２８からの選別風によって除去され、一番コンベヤ２３１に落下することになる。一番コンベヤ２３１のうち脱穀装置５における穀粒タンク７寄りの一側壁（実施形態では右側壁）から外向きに突出した終端部には、上下方向に延びる揚穀コンベヤ２３３が連通接続されている。一番コンベヤ２３１から取出された穀粒は、揚穀コンベヤ２３３を介して穀粒タンク７に搬入され、穀粒タンク７に収集されることになる。なお、穀粒タンク７の後面の傾斜に沿わせて、揚穀コンベヤ２３３の上端側が後方に傾斜する後傾姿勢で、穀粒タンク７の後方に揚穀コンベヤ２３３が立設されている。
【００３３】
また、揺動選別盤２２７は、搖動選別（比重選別）によってチャフシーブ２３９から枝梗付き穀粒等の二番物を二番コンベヤ２３２に落下させるように構成している。チャフシーブ２３９の下方に落下する二番物を風選する選別ファン２４１を備える。チャフシーブ２３９から落下した二番物は、その穀粒中の粉塵及び藁屑が選別ファン２４１からの選別風によって除去され、二番コンベヤ２３２に落下することになる。二番コンベヤ２３２のうち脱穀装置５における穀粒タンク７寄りの一側壁から外向きに突出した終端部は、揚穀コンベヤ２３３と交差して前後方向に延びる還元コンベヤ２３６を介して、フィードパン２３８の上面側に連通接続され、二番物をフィードパン２３８の上面側に戻して再選別するように構成している。
【００３４】
一方、フィードチェン６の後端側（送り終端側）には、排藁チェン２３４が配置されている。フィードチェン６の後端側から排藁チェン２３４に受け継がれた排藁（穀粒が脱粒された稈）は、長い状態で走行機体１の後方に排出されるか、又は脱穀装置５の後方側に設けた排藁カッタ２３５にて適宜長さに短く切断されたのち、走行機体１の後方下方に排出されることになる。
【００３５】
次に、図５及び図６を参照しながら、刈取装置３、脱穀装置５、フィードチェン６、排藁チェン２３４、排藁カッタ２３５等の駆動構造について説明する。図５及び図６に示されるように、エンジン１４の前側及び後側にその出力軸７０を突出する。エンジン１４の前側の出力軸７０に自在継手８３を介してミッションケース７１の走行入力軸８４を連結し、エンジン１４の回転駆動力が、前側の出力軸７０からミッションケース７１に伝達されて変速された後、左右の車軸７２を介して左右の走行クローラ２に伝達され、左右の走行クローラ２がエンジン１４の回転力によって駆動されるように構成している。
【００３６】
図５に示されるように、エンジン１４を冷却するためのラジエータ用の冷却ファン７３と、上述した電動モータ９２等を作動させるための電源を供給する発電機８９とを備える。エンジン１４の後側の出力軸７０に、冷却ファン７３を軸支したファン駆動軸８８が連結されている。ファン駆動軸８８には、発電機８９の入力軸が連結されている。エンジン１４の回転駆動力によって、冷却ファン７３及び発電機８９が駆動されるように構成している。また、エンジン１４の後側の出力軸７０に排出オーガ駆動軸７６を連結し、エンジン２１からの回転駆動力によって排出オーガ駆動軸７６を介して排出オーガ８が駆動され、穀粒タンク７内の穀粒がコンテナ等に排出されるように構成している。
【００３７】
また、扱胴２２６及び処理胴２３０にエンジン１４からの回転駆動力を伝える脱穀駆動軸７７を備える。エンジン１４の後側の出力軸７０には、テンションローラ形脱穀クラッチ７８及び脱穀駆動ベルト７９を介して、脱穀駆動軸７７が連結されている。脱穀駆動軸７７には、扱胴２２６を軸支した扱胴軸８０と、処理胴２３０を軸支した処理胴軸８１とが連結されている。エンジン１４の略一定回転数の回転力によって、扱胴２２６及び処理胴２３０が略一定回転数で回転するように構成している。また、脱穀駆動軸７７に選別入力軸８２が連結されている。エンジン１４の略一定回転数の回転力によって、選別入力軸８２を介して、揺動選別盤２２７、唐箕ファン２２８、一番コンベヤ２３１、二番コンベヤ２３２、選別ファン２４１、排塵ファン２３０が略一定回転数で回転するように構成している。
【００３８】
図６に示す如く、ミッションケース７１内に、１対の走行油圧ポンプ及び走行油圧モータを有する走行主変速用の油圧式無段変速機構９６と、１対の旋回油圧ポンプ及び旋回油圧モータを有する旋回用の油圧式無段変速機構９７とを設けている。走行主変速用の油圧式無段変速機構９６の走行油圧ポンプ（図示省略）と、旋回用の油圧式無段変速機構９７の旋回油圧ポンプ（図示省略）とは、ミッションケース７１の走行入力軸８４に連結させてそれぞれ駆動するように構成している。ミッションケース７１にＰＴＯ軸９８を配置する。ＰＴＯ軸９８は、走行主変速用の油圧式無段変速機構９６の走行油圧モータ（図示省略）によって駆動される。ミッションケース７１からこの左外側にＰＴＯ軸９８の一端側を突設させている。
【００３９】
図６に示す如く、エンジン１４の左側方で、脱穀装置５の前側方の走行機体１上に、カウンタギヤケース９９を設けている。カウンタギヤケース９９には、上述した脱穀駆動軸７７と、脱穀駆動軸７７に連結する選別入力軸８２と、ＰＴＯ軸９８に連結する車速同調軸１００と、選別入力軸８２又は車速同調軸１００に連結する刈取伝動軸１０１と、刈取り入力軸１７に連結する刈取駆動軸１０２と、フィードチェン６を駆動するフィードチェン駆動軸１０３とを配置している。
【００４０】
図６に示す如く、カウンタギヤケース９９内の車速同調軸１００上に、車速同調軸１００の車速同調回転力を伝える一方向回転クラッチ１０５を設ける。車速同調軸１００に、刈取変速機構１０８と一方向回転クラッチ１０５とを介して、刈取伝動軸１０１を連結する。刈取変速機構１０８は、低速側変速ギヤ１０６と高速側変速ギヤ１０７とを有する。低速及び中立（零回転）及び高速の各刈取変速操作によって後述する刈取変速アクチュエータ２９１を作動させて、刈取変速アクチュエータ２９１によって低速側変速ギヤ１０６又は高速側変速ギヤ１０７を刈取伝動軸１０１に択一的に係合させ、車速同調軸１００から刈取変速機構１０８を介して刈取伝動軸１０１に刈取変速出力を伝えるように構成している。
【００４１】
図６に示す如く、選別入力軸８２に一定回転機構１１１を介して刈取伝動軸１０１を連結する。一定回転機構１１１は、低速側一定回転ギヤ１０９と高速側一定回転ギヤ１１０とを有する。低速側一定回転及び中立（零回転）及び高速側一定回転の各刈取変速操作によって後述する一定回転アクチュエータ２９２を作動させて、一定回転アクチュエータ２９２によって低速側一定回転ギヤ１０９又は高速側一定回転ギヤ１１０を刈取伝動軸１０１に択一的に係合させ、脱穀駆動軸７７（選別入力軸８２）から一定回転機構１１１を介して刈取伝動軸１０１に刈取駆動力を伝えるように構成している。
【００４２】
また、刈取伝動軸１０１にトルクリミッタ１０４を介して刈取駆動軸１０２を連結する。トルクリミッタ１０４によって設定された所定トルク以下の回転力が刈取伝動軸１０１から刈取駆動軸１０２に伝達されることになる。刈取駆動軸１０２の回転負荷がトルクリミッタ１０４によって設定された所定トルク以上になった場合、トルクリミッタ１０４が空転して、刈取伝動軸１０１の回転力が刈取駆動軸１０２に伝達されない。即ち、トルクリミッタ１０４によって設定したトルク以下の回転力で刈取り入力軸１７が作動し、トルクリミッタ１０４によって設定したトルク以上の負荷が発生したときに、トルクリミッタ１０４の空転によって刈取り入力軸１７が停止して、刈刃３２等が損傷するのを防止している。
【００４３】
上記の構成により、刈取作業の維持に必要な一定回転数の回転出力が低速側一定回転ギヤ１０９を介して選別入力軸８２から刈取伝動軸１０１に伝達されることになる。したがって、走行機体１の移動速度に関係なく、低速側一定回転ギヤ１０９からの一定回転数で刈取り入力軸１７を作動させて刈取作業を維持でき、圃場の枕地での方向転換作業性等を向上できる。また、車速同調軸１００及び高速側変速ギヤ１０７からの車速同調出力の最高速又はそれよりも早い一定回転数の回転出力が高速側一定回転ギヤ１１０を介して選別入力軸８２から刈取伝動軸１０１に伝達されることになる。したがって、車速同調出力の最高速よりも早い高速側一定回転ギヤ１１０からの一定回転数で刈取り入力軸１７を作動でき、倒伏穀稈の刈取り作業性等を向上できる。
【００４４】
カウンタギヤケース９９には、選別入力軸８２にフィードチェン駆動軸１０３を連結する遊星ギヤ形変速構造のフィードチェン同調機構１１２が設けられている。選別入力軸８２の回転出力が、フィードチェン同調機構１１２によって刈取伝動軸１０１の回転数に比例して変速されて、フィードチェン駆動軸１０３に伝達されることになる。即ち、フィードチェン同調機構１１２を介してフィードチェン６を作動することによって、穀稈の搬送に必要な最低回転数（低速側一定回転ギヤ１０９からの一定回転数）を確保し乍ら、フィードチェン６の穀稈搬送速度を車速と同調させて変更可能に構成している。
【００４５】
次に、本実施形態の穀稈搬送手段としての縦搬送チェン３４の搬送速度制御について説明する。図７は、縦搬送チェン３４の搬送速度制御手段の機能ブロック図であり、制御プログラムを記憶したＲＯＭと各種データを記憶したＲＡＭとを有するマイクロコンピュータ等の作業コントローラ２８２を備えている。図７に示されるように、マイクロコンピュータで構成する作業コントローラ２８２の入力側には、脱穀装置５の駆動等を検出する作業スイッチ２７３と、穀稈引起装置２２３の穀稈（未刈り穀稈）又は穀稈搬送装置２２４の穀稈（刈取穀稈）を検出する穀稈センサ２８７と、走行機体１の移動速度を検出する車速センサ２８５と、刈取り入力軸１７の回転数を検出する刈取り回転センサ２８８と、縦搬送駆動用電動モータ９２の出力回転数（縦搬送チェン３４の作動速度）を無段階に調節する搬送速度設定ダイヤル２６２と、縦搬送駆動用電動モータ９２の最低出力回転数（縦搬送チェン３４の最低作動速度）を設定する最低回転数設定器としての低速回転設定器２６６と、縦搬送駆動用電動モータ９２の最高出力回転数（縦搬送チェン３４の最高作動速度）を設定する最高回転数設定器としての高速回転設定器２６７とを接続している。
【００４６】
また、作業コントローラ２８２の入力側には、縦搬送駆動用電動モータ９２及び穂先搬送駆動用電動モータ９３を手動操作によって刈取り穀稈搬送方向に作動させる手動正転スイッチ２６８と、刈取り穀稈搬送方向とは逆の方向に縦搬送駆動用電動モータ９２のみを手動操作によって作動させる手動逆転スイッチ２６９と、手動操作（低速、中立、高速の操作）によって刈取変速アクチュエータ２９１を切換え作動させる刈取変速スイッチ２７０と、手動操作（低速一定回転、中立、高速一定回転の操作）によって一定回転アクチュエータ２９２を切換え作動させる一定回転スイッチ２７１と、縦搬送駆動用電動モータ９２の出力回転数を検出する縦搬送回転センサ３１２と、穂先搬送駆動用電動モータ９３の出力回転数を検出する補助搬送回転センサ３１３とを接続している。
【００４７】
図１に示す如く、フィードチェン６に弾圧させて刈取り穀稈を挟持する挟扼干２４５を設けた挟扼カバー２４６を備える。挟扼カバー２４６は、脱穀装置５の左側面の上方に配置されている。挟扼カバー２４６の外側面の前端側に、エンジン１４を緊急に停止させるエンジン停止スイッチ２４７と、手動正転スイッチ２６８と、手動逆転スイッチ２６９とが設けられている。走行機体１の左側外方からエンジン停止スイッチ２４７、又は手動正転スイッチ２６８、又は手動逆転スイッチ２６９を操作して、手扱作業又は詰り穀稈の除去作業等を実行するように構成している。なお、図１に示す如く、刈取装置３の刈取左側面カバー２４８に、手動正転スイッチ２６８及び手動逆転スイッチ２６９を設けても、挟扼カバー２４６に各スイッチ２６８，２６９を設けた場合と同様に、穀稈の詰り箇所を目視しながら、手動正転スイッチ２６８又は手動逆転スイッチ２６９を操作して、詰り穀稈の除去作業等を実行できる。
【００４８】
図７に示す如く、作業コントローラ２８２の出力側には、縦搬送駆動用電動モータ９２を作動する縦搬送ドライバ３０２と、穂先搬送駆動用電動モータ９３を作動する穂先搬送ドライバ３０３とを接続している。エンジン１４によって駆動する発電機８９に、縦搬送駆動用電動モータ９２及び縦搬送ドライバ３０２を接続させ、発電機８９を電源として、縦搬送駆動用電動モータ９２を作動可能に構成している。また、穂先搬送駆動用電動モータ９３及び穂先搬送ドライバ３０３を発電機８９に接続させ、発電機８９を電源として、穂先搬送駆動用電動モータ９３を作動可能に構成している。
【００４９】
即ち、刈取り回転センサ２８８の検出結果と、搬送速度設定ダイヤル２６２の設定値とに基づき、縦搬送駆動用電動モータ９２の出力回転数が自動制御される。その縦搬送駆動用電動モータ９２の出力回転数を自動制御中、オペレータが搬送速度設定ダイヤル２６２を手動操作し、縦搬送駆動用電動モータ９２の出力回転数を変更して、縦搬送チェン３４の搬送速度を調整可能に構成している。前記自動制御は、低速回転設定器２６６によって設定された最低回転数と、高速回転設定器２６７によって設定された最高回転数との間で、縦搬送駆動用電動モータ９２の出力回転数を関連させて変更可能に構成している。
【００５０】
なお、一定回転数で常に駆動して脱穀・選別性能を維持する必要がある脱穀装置５を備えた構造、換言すると、エンジン１４からの一定回転数の出力が脱穀装置５に伝達される伝動構造において、最高出力状態で略一定回転数を維持するようにエンジン１４が運転されるから、そのエンジン１４からの出力によって発電機８９を最適な回転数で駆動できる。即ち、縦搬送駆動用電動モータ９２及び穂先搬送駆動用電動モータ９３の作動に必要な発電機８９の適正出力が確実に維持されることによって、圃場に植立した穀稈の株元の切断に適した一定回転数で縦搬送駆動用電動モータ９２及び穂先搬送駆動用電動モータ９３を作動できる。
【００５１】
次に、図８は搬送速度制御のフローチャートである。図８を参照して、縦搬送駆動用電動モータ９２及び穂先搬送駆動用電動モータ９３を作動する刈取穀稈の搬送作業を説明する。作業スイッチ２７３がオンで（Ｓ１ｙｅｓ）、穀稈センサ２８７がオンのときに（Ｓ２ｙｅｓ）、車速センサ２８５の検出値と、刈取り回転センサ２８８の検出値と、搬送速度設定ダイヤル２６２の設定値とが読み込まれる（Ｓ３）。トルクリミッタ１０４の設定トルク以下で刈取り入力軸１７が作動しているとき、即ち刈取装置３が停止していないときに（Ｓ４ｎｏ）、車速センサ２８５の検出値と、刈取り回転センサ２８８の検出値と、搬送速度設定ダイヤル２６２の設定値とから縦搬送チェン３４の搬送速度（車速同調速度）が演算される（Ｓ５）。したがって、オペレータが搬送速度設定ダイヤル２６２を手動操作して、縦搬送駆動用電動モータ９２の回転数を任意に変更できる。例えば圃場に倒伏している穀稈の刈取り作業等の特別な条件下の刈取り作業であっても、それに適応した速度で縦搬送チェン３４を作動できる。
【００５２】
また、圃場に植立した穀稈を刈取る刈取作業中、走行機体１の移動速度が加速されることによって、刈取り回転センサ２８８によって検出される刈取り入力軸１７の回転数が増大する。その場合、縦搬送回転センサ３１２によって検出される縦搬送駆動用電動モータ９２の出力回転数が、刈取り入力軸１７の回転数よりも相対的に低くなり、縦搬送チェン３４によって搬送される穀稈の株元側が遅れてその穂先側が先行した搬送姿勢になる。逆に、走行機体１の移動速度が減速されることによって、縦搬送駆動用電動モータ９２の出力回転数が、刈取り入力軸１７の回転数よりも相対的に高くなった場合、縦搬送チェン３４によって搬送される穀稈の株元側が先行してその穂先側が遅れる搬送姿勢になる。
【００５３】
縦搬送回転センサ３１２の検出値を読み込み（Ｓ６）、ステップ５で演算された縦搬送チェン３４の搬送速度と、縦搬送回転センサ３１２の検出値（実際の搬送速度）とを比較して、縦搬送チェン３４の搬送速度を増速作動すべきか（Ｓ７）、縦搬送チェン３４の搬送速度を減速作動すべきか（Ｓ１２）を判断する。縦搬送チェン３４の搬送速度を増速作動すべきと判断されたときに（Ｓ７ｙｅｓ）、縦搬送チェン３４の搬送速度を増速作動する増速制御が実行される（Ｓ８）。その結果、走行機体１の移動速度に比例して縦搬送チェン３４の搬送速度が加速され、車速と同調した速度で縦搬送チェン３４を作動でき、走行機体１の移動速度に比べて縦搬送チェン３４の搬送速度が遅くなりすぎることがなく、縦搬送チェン３４によって搬送される穀稈の姿勢が、株元側が遅れて穂先側が先行することがなく、搬送途中での穀稈の詰り又は搬送中の穀稈の搬送姿勢の乱れ等を防止でき、縦搬送チェン３４の搬送性能を向上できる。
【００５４】
上述の増速制御（Ｓ８）によって縦搬送チェン３４の搬送速度が増速された場合、高速回転設定器２６７の縦搬送チェン３４の最高作動速度設定値を読み込む（Ｓ９）。縦搬送チェン３４の搬送速度が高速回転設定器２６７の最高作動速度設定値と一致して、縦搬送チェン３４が高速作動していると判断されたときに（Ｓ１０ｙｅｓ）、縦搬送チェン３４の一定回転制御が実行される（Ｓ１１）。走行機体１の移動速度（車速）がさらに増速されても、縦搬送チェン３４の一定回転制御（Ｓ１１）によって、高速回転設定器２６７の設定値に縦搬送チェン３４の搬送速度が維持される。即ち、高速回転設定器２６７によって設定された回転数以下の速度で縦搬送チェン３４を作動するように構成したものであるから、走行機体１の移動速度（車速）が極めて高速のときにも、縦搬送チェン３４及び補助搬送チェン３５，３６の搬送速度が速くなりすぎることがなく、縦搬送チェン３４（縦搬送駆動用電動モータ９２）が過負荷の状態で作動するのを防止でき、穀稈の搬送姿勢の乱れ又は縦搬送チェン３４の損傷等を低減できる。
【００５５】
一方、圃場に植立した穀稈を刈取る刈取作業中、走行機体１の移動速度が減速されることによって、刈取り回転センサ２８８によって検出される刈取り入力軸１７の回転数が減少する。その場合、縦搬送回転センサ３１２によって検出される縦搬送駆動用電動モータ９２の出力回転数が刈取り入力軸１７の回転数よりも高くなり、縦搬送チェン３４によって搬送される穀稈の株元側が先行してその穂先側が遅れた搬送姿勢になる。
【００５６】
刈取り入力軸１７の回転数と縦搬送駆動用電動モータ９２の出力回転数とを比較して、縦搬送駆動用電動モータ９２を減速作動させる必要があると判断されたときに（Ｓ１２ｙｅｓ）、縦搬送ドライバ３０２を減速制御して縦搬送チェン３４の搬送速度を減速作動する減速制御が実行される（Ｓ１３）。その結果、その減速制御（Ｓ１３）によって走行機体１の移動速度（車速）に比例して縦搬送チェン３４の搬送速度が減速され、車速と同調した速度で縦搬送チェン３４を作動でき、走行機体１の移動速度に比べて縦搬送チェン３４の搬送速度が速くなりすぎることがなく、縦搬送チェン３４によって搬送される穀稈の姿勢が、株元側が先行して穂先側が遅れることがなく、搬送途中での穀稈の詰り又は搬送中の穀稈の搬送姿勢の乱れ等を防止でき、縦搬送チェン３４の搬送性能を向上できる。
【００５７】
上述の減速制御（Ｓ１３）によって縦搬送チェン３４の搬送速度が減速された場合、低速回転設定器２６６の縦搬送チェン３４の最低作動速度設定値を読み込む（Ｓ１４）。縦搬送チェン３４が低速作動して、縦搬送チェン３４の搬送速度が低速回転設定器２６６の最低作動速度設定値と一致して、縦搬送チェン３４が低速作動していると判断されたときに（Ｓ１５ｙｅｓ）、縦搬送チェン３４の一定回転制御（Ｓ１１）が実行される。したがって、走行機体１の移動速度（車速）がさらに減速されても、縦搬送チェン３４の一定回転制御（Ｓ１０）によって、低速回転設定器２６６の設定値に縦搬送チェン３４の搬送速度が維持される。即ち、最低回転数設定器２６６によって設定された回転数以上の速度で縦搬送チェン３４を作動できるから、走行機体１の移動速度（車速）等が極めて微速のときにも、縦搬送チェン３４の搬送速度が遅くなりすぎることがなく、搬送途中の穀稈が詰るのを防止でき、縦搬送チェン３４の搬送性能を維持できる。
【００５８】
さらに、上述の増速制御（Ｓ８）、一定回転制御（Ｓ１１）、減速制御（Ｓ１３）が実行される刈取作業中、走行機体１が圃場の枕地（畦際）等に到達して、圃場に植立した穀稈を刈取る刈取作業が終了し、穀稈センサ２８７がオンでなくなったとき、換言すると、最後に刈取られた少量の穀稈が縦搬送チェン３４の搬送途中に残っているときに（Ｓ１５ｙｅｓ）、縦搬送駆動用電動モータ９２を高速で作動させる高速制御が、初期設定時間（例えば約１０秒間）だけ実行される。高速回転設定器２６７の設定値に縦搬送チェン３４の搬送速度が維持される一定回転制御（Ｓ１０）よりも高速で、縦搬送チェン３４が作動される。したがって、縦搬送チェン３４の搬送終端側（穀稈受継部）等で稈こぼれ又は稈詰りが発生するのを防止できる。
【００５９】
上述したように、縦搬送チェン３４を作動する縦搬送駆動用電動モータ９２と、刈刃装置２２２等への入力回転数を検出する刈取り回転センサ２８８と、縦搬送駆動用電動モータ９２の回転数を変更可能な搬送速度設定ダイヤル２６２とを備え、刈取り回転センサ２８８の検出結果に基づき縦搬送駆動用電動モータ９２の回転数を制御中、オペレータが搬送速度設定ダイヤル２６２を手動操作し、縦搬送駆動用電動モータ９２の出力回転数を変更して縦搬送チェン３４の搬送速度を調整可能に構成したものであるから、圃場に植立した穀稈の性状等に適応した速度で縦搬送チェン３４を作動でき、縦搬送チェン３４の搬送性能を向上できる。例えば、圃場に倒伏している穀稈の刈取り作業等の特別な条件下の刈取り作業であっても、倒伏している穀稈の刈取り作業に適した速度に縦搬送チェン３４の搬送速度を調整できる。また、例えばフィードチェン６によって穀稈の株元を挟持搬送して脱穀装置５に供給するコンバインにおいて、穀稈の穂先側が遅れて搬送されるのを防止できるから、脱穀装置５の所要動力又は脱穀損失等を低減できる。
【００６０】
また、縦搬送駆動用電動モータ９２の最低回転数を設定する最低回転数設定器としての低速回転設定器２６６と、縦搬送駆動用電動モータ９２の最高回転数を設定する最高回転数設定器としての高速回転設定器２６７とを備え、低速回転設定器２６６によって設定された最低回転数と、高速回転設定器２６７によって設定された最高回転数との間で、縦搬送駆動用電動モータ９２の出力回転数を変更可能に構成したものであるから、走行機体１の移動速度（車速）等が極めて微速のときにも、縦搬送チェン３４の搬送速度が遅くなりすぎることがなく、搬送途中で穀稈が詰るのを防止できる。また、走行機体１の移動速度（車速）が極めて高速のときにも、縦搬送チェン３４の搬送速度が速くなりすぎることがなく、搬送中の穀稈の搬送姿勢が乱れるのを防止できる。
【００６１】
次に、図８を参照して、縦搬送駆動用電動モータ９２及び穂先搬送駆動用電動モータ９３を作動して、縦搬送チェン３４の搬送始端側及び搬送途中に詰った穀稈を除去するための詰り穀稈の除去作業を説明する。作業スイッチ２７３がオンではない状態（Ｓ１ｎｏ）、又は穀稈センサ２８７がオンではない状態（Ｓ２ｎｏ）、又は刈取作業中、トルクリミッタ１０４の設定トルク以上の負荷が発生して、過負荷によって刈取装置３が停止した状態で、縦搬送チェン３４の搬送経路中に刈取り穀稈が詰ったときに（Ｓ４ｙｅｓ）、運転座席１２に座乗したオペレータが走行クローラ２及び刈取装置３を停止する操作を行った後、手動正転スイッチ２６８及び手動逆転スイッチ２６９を設けた走行機体１の左側方にオペレータが移動する。
【００６２】
縦搬送チェン３４の搬送経路中に詰った刈取り穀稈をオペレータが目視しながら、手動正転スイッチ２６８をオン操作した場合（Ｓ１６ｙｅｓ）、刈取停止制御が実行されて（Ｓ１７）、刈取変速アクチュエータ２９１が刈取り変速出力オフ位置（中立位置）に維持され、且つ一定回転アクチュエータ２９２が一定回転出力オフ位置（中立位置）に維持される。その場合、刈取装置３だけが停止維持され、脱穀装置５及びフィードチェン６は、エンジン１４からの動力によって略一定速度で作動することになる。即ち、手動操作オンによって（Ｓ１６ｙｅｓ）、脱穀装置５及びフィードチェン６を継続して作動させた状態で、刈取停止制御と手動回転制御とが実行される。したがって、穀稈の詰り状況又は詰り穀稈の搬送状況等を確認しながら、手動正転スイッチ２６８を操作して縦搬送チェン３４を作動できる。縦搬送チェン３４の搬送始端側又は搬送途中の詰り穀稈を除去するのに必要な時間だけ、縦搬送チェン３４を作動できる。
【００６３】
前記手動回転制御では、手動正転スイッチ２６８のオン操作によって（Ｓ１６ｙｅｓ）、縦搬送駆動用電動モータ９２及び穂先搬送駆動用電動モータ９３が作動して、縦搬送駆動用電動モータ９２によって縦搬送チェン３４が刈取り穀稈搬送方向に作動し、穂先搬送駆動用電動モータ９３によって後穂先搬送タイン３８が刈取り穀稈搬送方向に作動する。したがって、右株元搬送チェン３３Ｒと左株元搬送チェン３３Ｌとの穀稈合流部である縦搬送チェン３４の送り始端側の刈取り穀稈、又は縦搬送チェン３４の送り途中の刈取り穀稈が送り終端側に向けて搬送される。その結果、縦搬送チェン３４の搬送始端側又は搬送途中に詰った穀稈を除去できる。
【００６４】
手動正転スイッチ２６８のオン操作によって縦搬送駆動用電動モータ９２及び穂先搬送駆動用電動モータ９３が正転作動した場合、縦搬送チェン３４及び後穂先搬送タイン３８は、一定回転制御（Ｓ１１）が実行される低速回転設定器２６６の最低作動速度設定値よりも遅い搬送速度で作動する。したがって、穀稈の詰り状況又は詰り穀稈の搬送状況等に応じて縦搬送チェン３４を適正量だけ簡単に作動できる。縦搬送チェン３４の搬送始端側又は搬送途中の詰り穀稈を除去するのに必要な搬送移動量だけ、縦搬送チェン３４を作動できる。また、縦搬送チェン３４と共に後穂先搬送タイン３８を刈取り穀稈搬送方向に作動することによって、後穂先搬送タイン３８によって穀稈の穂先側が扱かれて脱粒するのを防止したり、穀稈の株元側が先行する搬送姿勢になるのを防止でき、フィードチェン６の送り始端部等において穀稈の搬送姿勢が乱れるのを低減できる。
【００６５】
前記手動回転制御において、オペレータが手動逆転スイッチ２６９をオン操作した場合（Ｓ１６ｙｅｓ）、手動逆転スイッチ２６９のオン操作によって、穂先搬送駆動用電動モータ９３がオフのままで、縦搬送駆動用電動モータ９２だけが逆回転作動して、縦搬送駆動用電動モータ９２によって縦搬送チェン３４が刈取り穀稈搬送方向とは逆の方向に作動する。したがって、縦搬送チェン３４の送り始端側に向けて、縦搬送チェン３４の送り途中、又は送り終端側の刈取り穀稈が搬送される。その結果、縦搬送チェン３４の搬送途中に詰った穀稈を送り始端側に向けて分散させて除去できる。
【００６６】
なお、手動逆転スイッチ２６９のオン操作によって縦搬送駆動用電動モータ９２が作動した場合も、縦搬送チェン３４は、低速回転設定器２６６の最低作動速度設定値よりも遅い搬送速度で作動する。したがって、縦搬送チェン３４の搬送途中の詰り穀稈を除去するのに必要な搬送移動量だけ、縦搬送チェン３４を逆転作動できる。また、詰り穀稈の除去作業は、穀稈の株元を挟持した縦搬送チェン３４だけを逆転作動すればよく、後穂先搬送タイン３８の逆転は不要である。
【００６７】
上記の記載及び図１、図６、図７、図８から明らかなように、エンジン１４によって作動する走行部としての走行クローラ２を備えた走行機体１と、圃場に植立した穀稈の株元を切断する刈刃装置２２２と、刈刃装置２２２によって株元が切断された前記穀稈を搬送する穀稈搬送手段としての縦搬送チェン３４と、走行機体１の移動速度を検出する車速センサ２８５とを備えてなるコンバインにおいて、車速センサ２８５が検出する走行機体１の移動速度と同調した車速同調速度で縦搬送チェン３４を作動する縦搬送駆動用電動モータ９２と、縦搬送駆動用電動モータ９２を手動操作によって作動させる手動操作部材としての手動正転スイッチ２６８又は手動逆転スイッチ２６９とを備え、走行クローラ２又は刈刃装置２２２が停止した状態で、手動正転スイッチ２６８又は手動逆転スイッチ２６９の操作によって縦搬送駆動用電動モータ９２を作動可能に構成したものであるから、収穫作業中、縦搬送チェン３４によって搬送している穀稈が詰っても、収穫作業途中の圃場内で、縦搬送チェン３４に詰った穀稈を簡単に除去できる。縦搬送チェン３４の分解作業等の面倒な作業を省略できる。縦搬送チェン３４に穀稈が詰っても、詰り穀稈を簡単に解除して、収穫作業をスムーズに再開でき、穀稈の刈取作業性を向上できる。
【００６８】
上記の記載及び図７、図８から明らかなように、走行機体１の外側面に手動正転スイッチ２６８又は手動逆転スイッチ２６９を配置し、縦搬送チェン３４の穀稈搬送状況を目視しながら、走行機体１の外側方から手動正転スイッチ２６８又は手動逆転スイッチ２６９を操作可能に構成したものであるから、穀稈の詰り状況又は詰り穀稈の搬送状況等を確認しながら、手動正転スイッチ２６８又は手動逆転スイッチ２６９を操作して縦搬送チェン３４を作動できる。詰り穀稈を除去するのに必要な時間だけ、縦搬送チェン３４を作動させて、詰り穀稈を簡単に解除できる。縦搬送チェン３４の損傷等を防止できる。
【００６９】
上記の記載及び図７、図８から明らかなように、手動正転スイッチ２６８又は手動逆転スイッチ２６９を手動操作している間だけ、刈取作業中の穀稈搬送速度の最低速度よりも遅い速度で、縦搬送駆動用電動モータ９２によって縦搬送チェン３４を作動させるように構成したものであるから、穀稈の詰り状況又は詰り穀稈の搬送状況等に応じて縦搬送チェン３４を適正量だけ簡単に作動できる。詰り穀稈を除去するのに必要な搬送移動量だけ、縦搬送チェン３４を作動させて、詰り穀稈を簡単に解除できる。縦搬送チェン３４の損傷等を防止できる。
【図面の簡単な説明】
【００７０】
【図１】本発明の第１実施形態の６条刈り用コンバインの側面図である。
【図２】同平面図である。
【図３】刈刃装置及び穀稈搬送装置の側面説明図である。
【図４】刈刃装置及び穀稈搬送装置の平面説明図である。
【図５】コンバインの駆動系統図である。
【図６】ミッションケース及びカウンタケース等の駆動系統図である。
【図７】穀稈搬送手段（縦搬送チェン）の制御回路の機能ブロック図である。
【図８】穀稈搬送手段の搬送速度制御及び詰り穀稈の除去制御のフローチャートである。
【符号の説明】
【００７１】
１  走行機体
２  走行クローラ（走行部）
１４  エンジン
３４  縦搬送チェン（穀稈搬送手段）
９２  縦搬送駆動用電動モータ
２２２  刈刃装置
２６８  手動正転スイッチ（手動操作部材）
２６９  手動逆転スイッチ（手動操作部材）
２８５  車速センサ
【図１】
0005166885.tif 000002
【図２】
0005166885.tif 000003
【図３】
0005166885.tif 000004
【図４】
0005166885.tif 000005
【図５】
0005166885.tif 000006
【図６】
0005166885.tif 000007
【図７】
0005166885.tif 000008
【図８】
0005166885.tif 000009